(57)【要約】【課題】駆動／制御回路基板および画像制御基板が駆動源と離れた位置に配置され、駆動源から発生する磁気による誤動作を回避することが可能であり、小型化を実現できる画像形成装置の提供。【解決手段】駆動／制御回路基板１１は、画像制御基板１２と接続され、駆動／制御回路基板１１および画像制御基板１２は、装置本体の互いに対向する側面のうちいずれか一方の側面に沿ってその側面の近傍に設けられ、駆動源１４は、駆動／制御回路基板１１および画像制御基板１２が設けられた側面側と対向する側面の近傍に設けられる。【選択図】図１
2009109637.tif 000002
【特許請求の範囲】
【請求項１】
装置本体を駆動するための駆動回路および前記装置本体を制御するための制御回路を有する一体型回路基板と、画像データを制御するための制御回路を有する画像制御回路基板と、前記装置本体の機構部を駆動する駆動源と、を備える画像形成装置において、
前記一体型回路基板は、前記画像制御回路基板と接続され、
前記一体型回路基板および前記画像制御回路基板は、前記装置本体の互いに対向する側面のうちいずれか一方の側面に沿って前記側面の近傍に設けられ、
前記駆動源は、前記一体型回路基板および前記画像制御回路基板が設けられた側面側と対向する側面の近傍に設けられることを特徴とする画像形成装置。
【請求項２】
請求項１に記載の画像形成装置において、
前記一体型回路基板は、スイッチング電源回路部、ヒータ駆動回路部、ヒータ制御回路部、高圧電源回路部、高圧電源制御回路部、レーザスキャナ制御回路部、モータ駆動制御回路部およびそれらを制御する第一プロセッサを有し、
前記画像制御回路基板は、画像データに基づいてレーザをオン／オフ変調するビットマップデータを生成し、前記一体型回路基板との通信を行う第二プロセッサ、不揮発性メモリおよび揮発性メモリを有することを特徴とする画像形成装置。
【請求項３】
装置本体を駆動するための駆動回路を有する駆動回路基板と、前記装置本体を制御するための制御回路および画像データを制御するための画像制御回路を有する制御回路基板と、前記装置本体の機構部を駆動する駆動源と、を備える画像形成装置において、
前記駆動回路基板は、前記制御回路基板と接続され、
前記駆動回路基板および前記制御回路基板は、前記装置本体の互いに対向する側面のうちいずれか一方の側面に沿って前記側面の近傍に設けられ、
前記駆動源は、前記駆動回路基板および前記制御回路基板が設けられた側面側と対向する側面の近傍に設けられることを特徴とする画像形成装置。
【請求項４】
請求項３に記載の画像形成装置において、
前記駆動回路基板は、スイッチング電源回路部、ヒータ駆動回路部、高圧電源回路部を有し、
前記制御回路基板は、ヒータ制御回路部、高圧電源制御回路部、レーザスキャナ制御回路部、モータ駆動制御回路部およびそれらを制御する第一プロセッサ、並びに画像データに基づいてレーザをオン／オフ変調するビットマップデータを生成し、前記第一プロセッサとの通信を行う第二プロセッサ、不揮発性メモリおよび揮発性メモリを有することを特徴とする画像形成装置。
【発明の詳細な説明】
【技術分野】
【０００１】
本発明は、画像形成装置に関し、特に、電子写真プロセスを用いて画像を形成するレーザビームプリンタ等の画像形成装置に関するものである。
【背景技術】
【０００２】
従来の画像形成装置の各機能部品の配置構成をあらわす代表的なものとして、例えば特許文献１に示された配置構成がある。
【０００３】
図６は特許文献１における各機能部品の配置構成の一例で、従来例に係るレーザビームプリンタ等の画像形成装置の正断面図である。
【０００４】
６１は装置本体を駆動するための駆動回路基板、６２は装置本体を制御するための制御回路基板、６３は画像データを制御するための画像制御基板である。また、６４は画像制御基板６３からのオン／オフデータに基づいて画像形成を行うスキャナユニット、６５は装置本体の機構部６５ａを駆動する駆動源である。画像形成装置において、駆動回路基板６１は制御回路基板６２と接続され、制御回路基板６２は画像制御基板６３と接続され、駆動回路基板６１と画像制御基板６３は略垂直に設けられていることを特徴としている。かつ、制御回路基板６２はスキャナユニット６４の上に略水平に設けられていることを特徴としている。尚、本構成においては、ＶＤＯ信号等の高調波制御信号が極めて短縮して配線されるため、放射電界ノイズ（ＲＦＩ）の低減が可能となり、その対策コストを大幅に削減することが可能になるという効果がある。
【特許文献１】特開２００３−１９５５９４号公報
【発明の開示】
【発明が解決しようとする課題】
【０００５】
しかしながら従来の画像形成装置の各機能部品の配置構成を用いた場合、画像形成装置の更なる小型化という観点においては、以下のような新たな課題が考えられる。
【０００６】
・画像制御基板とモータ等の駆動手段（駆動源）をより近接して配置することになるため、装置の駆動時に駆動手段から発生する磁気による画像制御基板の誤動作する可能性がある。
【０００７】
この対策のため、シールド板の追加等を行うと小型化が難しくなるとともにコストアップを招くことになる。
【０００８】
・スキャナユニット上に制御回路基板を配置する場合、スペースを確保する必要があるため、装置の低背下が難しくなる。
【０００９】
本発明は、以上の点に着目して成されたもので、駆動源から発生する磁気による誤動作を回避することができ、この対策によるコストアップを未然に防止するとともに小型化を実現できる画像形成装置を提供することを課題とする。
【課題を解決するための手段】
【００１０】
上記の課題を解決するため、本発明の画像形成装置は、以下の構成を備える。
【００１１】
（１）装置本体を駆動するための駆動回路および前記装置本体を制御するための制御回路を有する一体型回路基板と、画像データを制御するための制御回路を有する画像制御回路基板と、前記装置本体の機構部を駆動する駆動源と、を備える画像形成装置において、前記一体型回路基板は、前記画像制御回路基板と接続され、前記一体型回路基板および前記画像制御回路基板は、前記装置本体の互いに対向する側面のうちいずれか一方の側面に沿って前記側面の近傍に設けられ、前記駆動源は、前記一体型回路基板および前記画像制御回路基板が設けられた側面側と対向する側面の近傍に設けられることを特徴とする画像形成装置。
【００１２】
（２）装置本体を駆動するための駆動回路を有する駆動回路基板と、前記装置本体を制御するための制御回路および画像データを制御するための画像制御回路を有する制御回路基板と、前記装置本体の機構部を駆動する駆動源と、を備える画像形成装置において、前記駆動回路基板は、前記制御回路基板と接続され、前記駆動回路基板および前記制御回路基板は、前記装置本体の互いに対向する側面のうちいずれか一方の側面に沿って前記側面の近傍に設けられ、前記駆動源は、前記駆動回路基板および前記制御回路基板が設けられた側面側と対向する側面の近傍に設けられることを特徴とする画像形成装置。
【発明の効果】
【００１３】
本発明によれば、一体型回路基板および画像制御基板が駆動源と離れた位置に配置されるため、駆動源から発生する磁気による誤動作を回避することが可能であり、この対策によるコストアップを未然に防止するとともに小型化を実現できる。
【００１４】
また従来はスキャナユニット上に配置していた制御回路基板を、装置本体を駆動するための駆動回路および、装置本体を制御するための制御回路を備えた一体型回路基板として装置本体の側面に配置される。これにより、スキャナユニット上に基板を配置するためのスペースが不要となり装置本体の低背化が可能となる。
【００１５】
更に配置構成では、装置の一方の側面に一体型回路基板および画像制御基板を配置、もう一方の側面に装置本体の機構部および機構部を駆動する駆動源を配置する。これにより、装置の重量バランスが改善されて小型化とともに輸送等の搬送性が向上するという効果がある。
【００１６】
なお本構成においても、従来の画像形成装置と同様にＶＤＯ信号等の高調波制御信号が極めて短縮して配線される。このため、放射電界ノイズ（ＲＦＩ）の低減が可能となり、その対策コストを大幅に削減できるという従来の配置構成において得られる効果を損なうことはない。
【発明を実施するための最良の形態】
【００１７】
以下本発明を実施するための最良の形態を、実施例により詳しく説明する。
【実施例１】
【００１８】
図１は本実施例のレーザビームプリンタ等の画像形成装置の正断面図、図２は同画像形成装置の側断面図、図３は回路基板の機能ブロック図である。
【００１９】
図１および図３において、１１は駆動／制御回路基板（一体型回路基板）である。これはまず、スイッチング電源回路部１１ａと、定着ヒータ１６（図２参照）を駆動するヒータ駆動回路部１１ｂおよび電子写真プロセスに必要な高圧電源回路部１１ｃで構成されている。さらに、高圧電源制御回路部と、ヒータ制御回路部と、レーザスキャナ制御回路部と、モータ駆動制御回路部およびそれらを制御するプロセッサ１１ｄ（第一プロセッサ）で構成されている。また、１２は画像制御基板（画像制御回路基板）であり、これは不図示のホストコンピュータからの画像データに基づいて半導体レーザをオン／オフ変調（以下、ＯＮ／ＯＦＦ変調と記す）するビットマップデータを生成する。また、画像制御基板１２は、次のように構成される。すなわち、駆動／制御回路基板１１上のプロセッサ１１ｄとの通信を行うプロセッサ１２ａ（第二プロセッサ）、制御ＲＯＭ（不図示）（不揮発性メモリ）、およびビットマップデータを一次格納するＲＡＭ（不図示）（揮発性メモリ）等で構成されている。
【００２０】
１３はスキャナユニットであり、スキャナユニット１３は、半導体レーザ駆動回路部１３ａ、ポリゴンスキャナ１３ｂ、ＢＤセンサ（不図示）等で構成されている。ここで、半導体レーザ駆動回路部１３ａは、画像制御基板１２からのＯＮ／ＯＦＦデータに基づいて半導体レーザを駆動する。ポリゴンスキャナ１３ｂは、半導体レーザからのレーザ光を感光ドラム上に水平走査する。ＢＤセンサは水平同期信号を発生する。
【００２１】
尚、図中の１４は装置本体の機構部１４ａを駆動する駆動源、１５（図２参照）はプロセスカートリッジであり、これは感光ドラム、帯電ローラ、現像器、クリーナ容器等によって構成されている。
【００２２】
本実施例では、図１に示すように駆動／制御回路基板１１は、画像制御基板１２と接続され、駆動／制御回路基板１１と画像制御基板１２は装置本体の互いに対向する側面のうち、いずれか一方の側面に沿ってその近傍に配置されている。一方、装置本体の機構部１４ａを駆動する駆動源１４は、駆動／制御回路基板１１および画像制御基板１２が設けられた側面側とは反対側の側面に配置されている。
【００２３】
なお、駆動／制御回路基板１１と画像制御基板１２を装置の同一側面に配置する場合、互いの実装部品が干渉しないように配置する必要がある。このとき駆動／制御回路基板１１上の部品配置として、ラインフィルタ、一次平滑用コンデンサ、トランス、リレー等、比較的大きな部品で構成されるスイッチング電源回路部１１ａおよびヒータ駆動回路部１１ｂを駆動／制御回路基板１１の例えば端部に配置する。一方、表面実装部品等、主に小さな部品で構成される高圧電源回路部１１ｃおよび高圧電源回路制御部、ヒータ制御回路部、レーザスキャナ制御回路部、モータ駆動制御回路部およびそれらを制御するプロセッサ１１ｄを基板の例えば中央部に配置する。そして、画像制御基板１２は、表面実装部品等、主に小さな部品で構成されているので駆動／制御回路基板１１の小さな部品が配置されている中央部付近で対向配置する。このように、駆動／制御回路基板１１と画像制御基板１２を配置することにより、必要最小限の距離で駆動／制御回路基板１１と画像制御基板１２が干渉しないように装置内に配置することが可能となる。その結果、駆動／制御回路基板１１と画像制御基板１２を配置する側面のスペースを最小限に押さえることができる。
【００２４】
以上説明した配置構成によれば、駆動／制御回路基板１１および画像制御基板１２が駆動源１４と離れた位置に配置されるため、駆動源１４から発生する磁気による誤動作を回避することが可能となる。このため、この対策によるコストアップを未然に防止するとともに装置本体の小型化を実現できる。また従来はスキャナユニット１３上に配置していた制御回路基板を、装置本体を駆動するための駆動回路および装置本体を制御するための制御回路を備えた駆動／制御回路基板１１として装置本体の側面に配置する。これにより、スキャナユニット１３上に基板を配置するためのスペースが不要となり装置本体の低背化が可能となる。
【００２５】
なお、本実施例に記載した駆動／制御回路基板１１、画像制御基板１２における機能上の構成は、本発明の一例を示すものであり、この限りではない。
【実施例２】
【００２６】
図４は本実施例のレーザビームプリンタ等の画像形成装置の正断面図、図５は回路基板の機能ブロック図である。
【００２７】
図４および図５において、４１は駆動回路基板であり、これはスイッチング電源回路部４１ａと、定着ヒータ１６（図２参照）を駆動するヒータ駆動回路部４１ｂおよび電子写真プロセスに必要な高圧電源回路部４１ｃで構成されている。また、４２は制御回路基板であり、高圧電源回路制御部と、ヒータ制御回路部と、レーザスキャナ制御回路部と、モータ駆動制御回路部およびそれらを制御するプロセッサ４２ａで構成される。さらに、不図示のホストコンピュータからの画像データに基づいて半導体レーザをＯＮ／ＯＦＦ変調するビットマップデータを生成し、プロセッサ４２ａとの通信を行うプロセッサ４２ｂで構成される。さらに制御ＲＯＭ（不図示）、およびビットマップデータを一次格納するＲＡＭ（不図示）等で構成されている。
【００２８】
４３はスキャナユニットであり、スキャナユニット４３は、半導体レーザ駆動回路部４３ａ、ポリゴンスキャナ４３ｂ、ＢＤセンサ（不図示）等で構成されている。ここで、半導体レーザ駆動回路部４３ａは、制御回路基板４２からのＯＮ／ＯＦＦデータに基づいて半導体レーザを駆動する。ポリゴンスキャナ４３ｂは、半導体レーザからのレーザ光を感光ドラム上に水平走査する。ＢＤセンサ（不図示）は、水平同期信号を発生する。
【００２９】
本実施例では、図４に示すように駆動回路基板４１は、制御回路基板４２と接続される。駆動回路基板４１と制御回路基板４２は、装置本体の互いに対向する側面のうち、いずれか一方の側面に沿ってその近傍に配置される。一方、装置本体の機構部４４ａを駆動する駆動源４４は、駆動回路基板４１および制御回路基板４２が設けられた側面側とは反対側の側面に配置されている。
【００３０】
以上説明した配置構成によれば、駆動回路基板４１および制御回路基板４２が駆動源４４と離れた位置に配置される。このため、駆動源４４から発生する磁気による誤動作を回避することが可能となり、この対策によるコストアップを未然に防止するとともに装置本体の小型化を実現できる。また従来はスキャナユニット４３上に配置していた制御回路基板を、制御回路基板４２として装置本体の側面に配置されるため、スキャナユニット１３上に基板を配置するためのスペースが不要となり装置本体の低背化が可能となる。ここで、制御回路基板４２は、まず、高圧電源回路制御部と、ヒータ制御回路部と、レーザスキャナ制御回路部と、モータ駆動制御回路部およびそれらを制御するプロセッサ４２ａで構成される。さらに、プロセッサ４２ｂ、制御ＲＯＭ（不図示）、およびビットマップデータを一次格納するＲＡＭ（不図示）等で構成される。プロセッサ４２ｂは、不図示のホストコンピュータからの画像データに基づいて半導体レーザをＯＮ／ＯＦＦ変調するビットマップデータを生成し、プロセッサ４２ａとの通信を行うものである。
【００３１】
尚、本実施例に記載した駆動回路基板４１、制御回路基板４２における機能上の構成は、本発明の一例を示すものであり、この限りではない。
【図面の簡単な説明】
【００３２】
【図１】実施例１に係るレーザビームプリンタ等の画像形成装置の正断面図
【図２】実施例１に係るレーザビームプリンタ等の画像形成装置の側断面図
【図３】実施例１に係る回路基板の機能ブロック図
【図４】実施例２に係るレーザビームプリンタ等の画像形成装置の正断面図
【図５】実施例２に係る回路基板の機能ブロック図
【図６】従来例に係るレーザビームプリンタ等の画像形成装置の正断面図
【符号の説明】
【００３３】
１１      駆動／制御回路基板（一体型回路基板）
１１ａ    スイッチング電源回路部
１１ｂ    ヒータ駆動回路部
１１ｃ    高圧電源回路部
１１ｄ    プロセッサ（第一プロセッサ）
１２      画像制御基板
１２ａ    プロセッサ（第二プロセッサ）
１３      スキャナユニット
１３ａ    半導体レーザ駆動回路部
１３ｂ    ポリゴンスキャナ
１４      駆動源
１４ａ    機構部
１５      プロセスカートリッジ
１６      定着ヒータ
４１      駆動回路基板
４１ａ    スイッチング電源回路部
４１ｂ    ヒータ駆動回路部
４１ｃ    高圧電源回路部
４２      制御回路基板
４２ａ    プロセッサ（第一プロセッサ）
４２ｂ    プロセッサ（第二プロセッサ）
４３      スキャナユニット
４３ａ    半導体レーザ駆動回路部
４３ｂ    ポリゴンスキャナ
４４      駆動源
４４ａ    機構部
６１      駆動回路基板
６２      制御回路基板
６３      画像制御基板
６４      スキャナユニット
６５      駆動源
６５ａ    機構部
【図１】
2009109637.tif 000003
【図２】
2009109637.tif 000004
【図３】
2009109637.tif 000005
【図４】
2009109637.tif 000006
【図５】
2009109637.tif 000007
【図６】
2009109637.tif 000008